(57)【要約】【課題】起動時のセキュリティ関連のユーザ入力を所定の条件下で不要とし、ユーザを煩雑な入力操作から解放する。【解決手段】無線通信端末は、第１および第２の無線通信方式に対応可能であり、少なくとも起動時にセキュリティに関するユーザ入力を求め、入力情報に基づいてセキュリティチェックを行う。動作中に無線通信方式の切替の指示があったとき、無線通信方式切替フラグをＯＮに設定して不揮発的に保存した後、再起動する。この再起動時には、切替後の無線通信方式のプログラムをＮＡＮＤメモリ１３２からＲＡＭ１４１に展開し、実行する。また、無線通信方式切替フラグをチェックし、起動要因が無線通信方式の切替である場合、セキュリティに関するユーザ入力を求めることを省略する。【選択図】図１
2009188743.tif 000002
【特許請求の範囲】
【請求項１】
第１および第２の無線通信方式に対応可能な無線通信端末であって、
現在選択されている無線通信方式が何であるかを不揮発的に保存する手段と、
少なくとも起動時にセキュリティに関するユーザ入力を求め、入力情報に基づいてセキュリティチェックを行う手段と、
無線通信方式の切替の指示を受ける手段と、
無線通信方式の切替の指示があったとき、無線通信方式切替フラグをＯＮに設定して不揮発的に保存した後、再起動する制御手段とを備え、
前記制御手段は、再起動時に前記無線通信方式切替フラグをチェックし、起動要因が無線通信方式の切替である場合、前記セキュリティに関するユーザ入力を求めることを省略する
ことを特徴とする無線通信端末。
【請求項２】
前記セキュリティに関するユーザ入力を求めるか否かをユーザが設定する手段をさらに備え、
前記制御手段は、再起動時に前記無線通信方式切替フラグをチェックし、起動要因が無線通信方式の切替ではなく、かつ、前記セキュリティに関するユーザ入力を求めることが設定されているとき、前記セキュリティに関するユーザ入力を求めることを特徴とする請求項１に記載の無線通信端末。
【請求項３】
起動時に、不揮発性メモリに格納されている前記第１および第２の無線通信方式のうち、選択された無線通信方式のプログラムを前記不揮発性メモリからＲＡＭへ転送し、ＲＡＭ上のプログラムを処理手段により実行することを特徴とする請求項１または２に記載の無線通信端末。
【請求項４】
前記セキュリティに関するユーザ入力は、パスワードの入力であり、入力されたパスワードを照合先のパスワードと比較してセキュリティチェックを行う請求項１に記載の無線通信端末。
【発明の詳細な説明】
【技術分野】
【０００１】
本発明は、第１および第２の無線通信方式に対応可能な無線通信端末に関する。
【背景技術】
【０００２】
１台の端末で、ＣＤＭＡ（Code Division Multiple Access）やＧＳＭ（Global System for Mobile Communications）のような複数の無線通信方式に対応可能なデジタル携帯電話端末が提案されている。
【０００３】
例えば、特許文献１には、ＷＣＤＭＡ方式とＧＳＭ方式とに対応する携帯電話端末の小型軽量化や、低消費電力化を図る技術が開示されている。
【特許文献１】特開２００７−０３６８６８号公報
【発明の開示】
【発明が解決しようとする課題】
【０００４】
近年、ＣＤＭＡ移動機などの端末ではセキュリティ強化の観点から起動時にユーザに対していろいろなパスワードの入力を要求し、ユーザ保護を図っている。たとえばＵＩＭのセキュリティに関して、パスワード入力（ＰＩＮ入力）が必要なモードに設定しておく場合、電源ＯＮ時にユーザに対して  起動時にパスワードの入力が要求される。
【０００５】
ところで、第１および第２の無線通信方式のいずれか一方で起動を行い、その後はその無線通信方式が単独で動作するデュアルブートシステムにおいては、一方の無線通信方式から他方の無線通信方式へ切り替える場合、一旦電源を切った後に他方の無線通信方式での再起動を行う。この電源断および再起動は、ユーザの切替指示に応じて電源の切断、再起動が自動的に実行されるものであり、その間にユーザが代わる可能性はないにも関わらず、その都度、パスワード入力が要求され、ユーザにとって操作が煩雑であるという問題があった。すなわち、ユーザがたとえばＣＤＭＡからＧＳＭに切替処理を実行した場合、ユーザ観点からは一連の動作であるにもかかわらず再度ＵＩＭのパスワード（ＰＩＮ入力）を要求されることとなった。
【０００６】
本発明はこのような背景においてなされたものであり、起動時のセキュリティ関連のユーザ入力を所定の条件下で不要とし、ユーザを煩雑な入力操作から解放しようとするものである。
【課題を解決するための手段】
【０００７】
本発明による無線通信端末は、第１および第２の無線通信方式に対応可能な無線通信端末であって、現在選択されている無線通信方式が何であるかを不揮発的に保存する手段と、少なくとも起動時にセキュリティに関するユーザ入力を求め、入力情報に基づいてセキュリティチェックを行う手段と、無線通信方式の切替の指示を受ける手段と、無線通信方式の切替の指示があったとき、無線通信方式切替フラグをＯＮに設定して不揮発的に保存した後、再起動する制御手段とを備える。この制御手段は、再起動時に前記無線通信方式切替フラグをチェックし、起動要因が無線通信方式の切替である場合、前記セキュリティに関するユーザ入力を求めることを省略する。
【０００８】
通常の起動が完了した後に無線通信方式を切り替える場合には既にパスワードの入力確認済で一定のセキュリティが確保されていおり、このような場合にまで再度のパスワードの入力を行う必要はない。そこで、本発明では、無線通信方式の切替の指示があったとき、無線通信方式切替フラグをＯＮに設定して不揮発的に保存し、再起動時に起動要因が無線通信方式の切替であるかどうかを確認する。これにより、起動要因が無線通信方式の切替であると判明した場合に前記セキュリティに関するユーザ入力を求めることを省略する。
【０００９】
前記セキュリティに関するユーザ入力を求めるか否かをユーザが設定する手段をさらに備える場合には、前記制御手段は、再起動時に前記無線通信方式切替フラグをチェックし、起動要因が無線通信方式の切替ではなく、かつ、前記セキュリティに関するユーザ入力を求めることが設定されているとき、前記セキュリティに関するユーザ入力を求める。
【００１０】
起動時には、不揮発性メモリに格納されている前記第１および第２の無線通信方式のうち、選択された無線通信方式のプログラムを前記不揮発性メモリからＲＡＭへ転送し、ＲＡＭ上のプログラムを処理手段により実行する。
【発明の効果】
【００１１】
本発明によれば、無線通信方式の切替の都度、セキュリティに関するユーザ入力を求められることがなくなる。その結果、無線通信端末の使い勝手が向上する。
【発明を実施するための最良の形態】
【００１２】
図１は、本発明の実施の形態に係る無線通信端末（移動端末）の概略ハードウェア構成を示したブロック図である。
【００１３】
この無線通信端末は、処理手段（または制御手段）としてのプロセッサ（ＣＰＵ）１１０と、加入者識別モジュールとしてのＵＩＭ（User Identity Module）カード１２１、入力部としてのキー入力部１２２、表示部としてのＬＣＤ１３１、再書込可能な不揮発性の半導体メモリとしてのＮＡＮＤメモリ１３２、現在選択されている無線通信方式を表す現在モードおよび現在の状態を表すステータスを記録するための現在モード／ステータス記録デバイス１３３、メモリとしてのＲＡＭ１４１を備えている。ＵＩＭカード１２１はシリアル伝送インタフェース（ＵＡＲＴ  Ｉ／Ｆ）を介してプロセッサ１１０と接続されている。キー入力部１２２は、キーインタフェース（ＫｅｙＩ／Ｆ）を介してプロセッサ１１０と接続されている。ＬＣＤ１３１およびＮＡＮＤメモリ１３２は、バス１３０を介してプロセッサ１１０と接続されている。ＲＡＭ１４１はバス１４０を介してプロセッサ１１０と接続されている。その他、図示しないが、無線通信部や音声処理部、マイク、スピーカ等を含む。
【００１４】
フラッシュメモリには、ＮＡＮＤ型とＮＯＲ型がある。ＮＡＮＤ型フラッシュメモリ（以下、ＮＡＮＤメモリともいう）は、大容量化に適し、単位容量当たりのコストが安価であるが、一定サイズのブロック単位での読み書きしかできず、ランダムアクセスが遅い、という特徴を有する。一方、ＮＯＲ型フラッシュメモリは、読み出し速度が高速でランダムアクセスが可能であるが、高集積化に向かず、書込に大電流が必要である、という特徴を有する。そこで、コスト、高集積化、消費電力の面で有利なＮＡＮＤメモリを無線通信端末のプログラムの記憶に利用し、ＮＡＮＤメモリからブート（Ｂｏｏｔ：起動）を行うような場合、一旦、ＮＡＮＤメモリからＲＡＭにプログラム領域が転送されて、プログラムはＲＡＭ上で実行される。この為、プログラム本体はＮＡＮＤメモリ上に存在することになる。
【００１５】
また、ＵＩＭカード１２１はＳＩＭ（Subscriber Identity Module）カードとも呼ばれ、端末のセキュリティを高めている。ＵＩＭカードは、データ処理機能および記憶機能を有し、加入者を識別するための、無線通信端末に挿抜可能な通常カード状のデバイスである。通常、ＵＩＭカードが無線通信端末に装着された状態で端末の電源をＯＮしたとき、ユーザに対してパスワード（ＰＩＮ：Personal Identification Number)の入力が促され、入力情報に基づいてセキュリティチェックを行うことにより端末の通信機能等が有効になる。本明細書では広義にはＰＩＮも「パスワード」に含まれるものとする。
【００１６】
現在モード／ステータス記録デバイス１３３は、ごく小さい記憶容量で足りるので、電源ＩＣ（図示せず）の様に、バックアップ領域をもった記録デバイスを利用してもよい。現在モード／ステータス記録デバイス１３３は起動完了前でもアクセスできる。但し、現在モード／ステータス記録デバイス１３３の代わりに、可能であれば、他の記憶部（例えばＮＡＮＤ１３２）の一部の領域を利用してもよい。
【００１７】
図２は、本実施の形態におけるデュアルブート（ＤｕａｌＢｏｏｔ）システムの概念図である。デュアルブートシステムは、第１の無線通信方式としてのＣＤＭＡの機能を実現するプログラム（ＣＤＭＡプログラム）２１と、第２の無線通信方式としてのの機能を実現するプログラム（ＧＳＭプログラム）２２とを、独立にＮＡＮＤメモリ１３２上に配置し、起動（Ｂｏｏｔ）時に予めユーザに選択されたモードに応じて、どちらかのプログラムをＮＡＮＤメモリ１３２からＲＡＭ１４１に展開し、ＲＡＭ１４１上のプログラムを実行することで実現される。無線通信方式の切替時には、一旦、端末の電源がＯＦＦされ、再起動される。この際、あらたなプログラムがＲＡＭ１４１に展開される。
【００１８】
図３は、セキュリティ関連情報についての説明図である。
【００１９】
ＣＤＭＡ移動機などでは近年セキュリティ強化の観点から起動時にいろいろなパスワードを入力し、ユーザ保護を図っており、たとえばＵＩＭのセキュリティに関して、パスワード入力（ＰＩＮ入力を含む）が必要なモードに設定しておく場合、電源ＯＮ時にユーザに対してパスワード入力が要求される動作となる。
【００２０】
通常、ＲＡＭ１４１上でプログラムを実行している最中は、そのプログラムの如何にかかわらず、セキュリティ関連の設定値を参照する場合はＮＡＮＤメモリ１３２上に配置されたデータベース（ＤＢ領域）２３を共通で使用する。この為、既にセキュリティ解除を実行後であってもモード切替のためのリブート処理によりデータベースを参照する必要があり、セキュリティ解除の操作が再度必要になる。
【００２１】
データベース領域２３には、セキュリティコードデータ２３１およびセキュリティ設定データ２３２が格納される。図４にデータベース領域２３の内部構成例を示すように、セキュリティコードデータ２３１には、入力省略の際の照合時の照合元データである登録済みのパスワード、すなわち、ＰＩＮの登録データ（登録ＰＩＮ（照合元））２３１１や、その他のセキュリティ関連の登録パスワード２３１２、および、照合時の照合先データとしてのパスワード（照合先）２３１３が含まれる。パスワード（照合先）２３１３は、初期的に、または、ユーザがパスワードを利用するサービスのインストール時に事後的に格納される。また、セキュリティ設定データ２３２には、ＰＩＮ以外のセキュリティ関連のパスワードの入力を求めるか否かを定めたパスワード入力要求設定データ２３２１が含まれる。ＵＩＭカード１２１内には、ＵＩＭ情報１２１１の他、ＰＩＮ照合時の照合先データとしてのＰＩＮ（セキュリティコード）１２１２、およびＰＩＮの入力を求めるか否かを定めたＰＩＮ入力要求設定データ（セキュリティ設定データ）１２１３を不揮発的に記憶している。なお、ＮＡＮＤメモリ１３２には、ユーザデータを格納するためのストレージ領域２４も確保されている。
【００２２】
現状、電源ＯＮから待ち受け画面に遷移するまでの間に入力が必要なセキュリティ関連の項目はＣＤＭＡ移動機ではＵＩＭのＰＩＮ入力のみである。「その他のセキュリティ関連のパスワード」は本発明に必須ではないが、今後オートロック機能などセキュリティ機能が強化された場合に対応するものである。
【００２３】
本発明では、無線通信方式の切替（すなわちモードの切替）の指示があったとき、無線通信方式切替フラグをＯＮに設定して不揮発的に保存した後、再起動する。具体的には、ＣＤＭＡからＧＳＭへの切り替え、または、ＧＳＭからＣＤＭＡへの切替の処理を実行した場合、起動要因として、モード切替によるリブート処理であるステータス（フラグとして機能する）を設定する。その結果、そのようなステータスが設定されていることが再起動時に判明すれば、特にセキュリティ関連の不要な処理をスキップさせることにより、ユーザの使い勝手を向上させることができる。
【００２４】
なお、不揮発性メモリに保存される起動要因のステータスには、その他、「電源キーＯＮによる通常起動」、「異常検出時におけるリブート」、「外部からの強制電源ＯＮ」などがある。不揮発性メモリとしてはＮＡＮＤメモリ１３２を使用してもよいし、また二次電池によるバックアップが可能な場合はＳＲＡＭなどのメモリの使用が可能である。
【００２５】
本実施の形態では現在選択されている無線通信方式を表す現在モードを現在モード／ステータス記録デバイス１３３に不揮発的に記憶しておき、モード切替の再起動時には現在モード／ステータス記録デバイス１３３に保存されている現在モードを他方に書き替える。但し、現在モード／ステータス記録デバイス１３３の書き替えのタイミングはこれに限るものではない。例えば、モード切替の指示があったときに、まず現在モード／ステータス記録デバイス１３３の書き替えを行い、その後に電源をＯＦＦし、直後の再起動時には書き替えられた現在モード／ステータス記録デバイス１３３の内容に応じたプログラムを選択する、という手順であってもよい。
【００２６】
図５は、本実施の形態における無線通信端末の動作例を表したフローチャートである。この処理は図１のプロセッサ１１０が実行する。
【００２７】
端末の通常起動中（起動が完了した後の動作中）に、ＣＤＭＡ／ＧＳＭのモード選択があった場合（Ｓ１１，Ｙｅｓ）、次のステップＳ１２へ進む。そのようなモード選択がない間は、他の処理を行う（Ｓ２５）。
【００２８】
ステップＳ１２では、現在モード／ステータス記録デバイス１３３に起動要因（すなわちステータス）を「モード切替によるリブート」に設定する。ついで、電源ＯＦＦ処理を行い（Ｓ１３）、リブートを行う（Ｓ１４）。リブートの際に実行されるブートプログラムは、図示しないが、ＮＡＮＤメモリ１３２の先頭部に格納されている。このリブート時に現在モード／ステータス記録デバイス１３３の現在モードおよびステータスを確認する。リブート後、ＮＡＮＤメモリ１３２上に保持している、選択されたプログラムをＲＡＭ１４１上へ展開し、プログラムを起動させる（Ｓ１５）。
【００２９】
起動要因が「モード切替によるリブート」であれば（Ｓ１７，Ｙｅｓ）、セキュリティに関するユーザ入力を求めることなく、ソフトウェアによるＰＩＮ自動認証を行う（Ｓ２６）。すなわち、ユーザ入力はないが、あたかもユーザ入力があったかのように、登録ＰＩＮ（照合元）２３１１とＵＩＭカード１２１内の照合先のＰＩＮ１２１２との照合を行う。（後述するように登録ＰＩＮは照合ＯＫ時の入力ＰＩＮが登録されるので、この照合結果はＯＫとなる。）また、必要に応じて、登録パスワード（照合元）２３１２とパスワード（照合先）２３１３との間でソフトウェアによるパスワードの自動認証を行う（Ｓ２７）。その後、待ち受け画面へ遷移する（Ｓ２４）。このように、「モード切替によるリブート」の場合、初回電源ＯＮ時のＰＩＮ入力によりセキュリティが確保できている為、セキュリティに関するユーザ入力を求めることを省略する。これにより、ユーザはモード切替を実行する毎にＵＩＭのＰＩＮ入力、および他のセキュリティ解除の為のパスワード入力を実行する必要がなくなり、ユーザの使い勝手を向上させることができる。その結果、ユーザは煩雑な入力操作から解放される。
【００３０】
起動要因が「モード切替によるリブート」でなければ（Ｓ１７，Ｎｏ）、次のステップＳ１８以降で設定条件に応じてセキュリティに関するユーザ入力を求める。これはＬＣＤ１３１に入力用画面を表示して行われる。
【００３１】
ステップＳ１８では、ＰＩＮ要求設定がＯＮか否かを判断する。この判断は図４のデータベース領域２３内のＰＩＮ入力要求設定データ２３２１に基づいて行う。ＰＩＮ要求設定がＯＮであれば、ユーザに対してＰＩＮ入力を要求する（Ｓ１９）。ＰＩＮ入力はキー入力部１２２（図１）により行うことができる。ＰＩＮが入力されたらその入力データをＵＩＭカード１２１内の照合先ＰＩＮ１２１２と比較し、入力ＰＩＮの正否を判定する（Ｓ２０）。入力ＰＩＮが正しければ、このＰＩＮを登録ＰＩＮ２３１１として登録し、次のステップＳ２１へ進む。入力ＰＩＮが正しくなければ所定回のリトライを受け付ける。
【００３２】
ステップＳ２１ではその他のセキュリティ設定がＯＮか否かを判断する。この判断は図４のデータベース領域２３内のパスワード入力要求設定データ２３２１に基づいて行う。パスワード入力要求設定データ２３２１がＯＮであれば、ユーザに対してパスワードの入力を要求する（Ｓ２２）。パスワードが入力されたらその入力データを照合先のパスワード２３１３と比較し、入力パスワードの正否を判定する（Ｓ２３）。入力パスワードが正しければ、そのパスワードを登録パスワード２３１２として登録して、次のステップＳ２２に進み、待ち受け画面へ遷移する。入力パスワードが正しくなければ所定回のリトライを受け付ける。
【００３３】
待ち受け画面に遷移した後は、ユーザやシステムの指示を待機する待ち受け状態となる。
【００３４】
以上、本発明の好適な実施の形態について説明したが、上記で言及した以外にも種々の変形、変更を行うことが可能である。例えば、選択可能な無線通信方式の個数は二つとしたが、三つ以上であってもよい。無線通信方式はＣＤＭＡとＧＳＭを例として挙げたが、起動時にセキュリティ関連情報の入力を求めるものであれば、これらに限るものではない。
【図面の簡単な説明】
【００３５】
【図１】本発明の実施の形態に係る無線通信端末（移動端末）の概略ハードウェア構成を示したブロック図である。
【図２】本発明の実施の形態におけるデュアルブート（ＤｕａｌＢｏｏｔ）システムの概念図である。
【図３】本発明の実施の形態におけるセキュリティ関連情報についての説明図である。
【図４】図３のデータベース領域２３の内部構成例を示す図である。
【図５】本発明の実施の形態における無線通信端末の動作例を表したフローチャートである。
【符号の説明】
【００３６】
２１…ＣＤＭＡプログラム、２２…ＧＳＭプログラム、２３…データベース領域、１１０…プロセッサ、１２１…ＵＩＭカード、１２２…キー入力部、１３２…ＮＡＮＤメモリ、１３３…ステータス記録デバイス、２３１…セキュリティコードデータ、２３２…セキュリティ設定データ、１２１１…ＵＩＭ情報、１２１２…ＰＩＮ（照合先）、１２１３…ＰＩＮ入力要求設定データ（セキュリティ設定データ）、１３２１…入力要求設定データ、２３１１…登録ＰＩＮ、２３１２…登録パスワード、２３１３…パスワード（照合先）、２３２１…パスワード入力要求設定データ
【図１】
2009188743.tif 000003
【図２】
2009188743.tif 000004
【図３】
2009188743.tif 000005
【図４】
2009188743.tif 000006
【図５】
2009188743.tif 000007